(57)【要約】      （修正有）【課題】ウェディングドレスに代表されるドレスやタキシードといったフォーマルな洋装を着用したまま、華やかさ・艶やかさを簡単に演出でき、雰囲気を変えられ、しかも着脱を楽に行えて便利な装飾化された衣装用タスキを提供する。【解決手段】ウェディングドレス等の衣装Ａの上に、タスキ掛け自在な衣装用のタスキであって、リボン状の長尺物３やワイヤー状の長尺物で形成されているタスキ本体６の全部又は一部に、天然石１等で成る装飾体７が複数取り付けられている。ワイヤー状の長尺物の場合、ワイヤーにより幹部と複数の枝部が形成されたワイヤー状の長尺物たるタスキ本体における前記枝部に、天然石等で成る装飾体がそれぞれ取り付けられている。【選択図】図１
0003135375.tif 000002
【実用新案登録請求の範囲】
【請求項１】
ウェディングドレス等の衣装の上に、タスキ掛け自在な衣装用のタスキであって、リボン状の長尺物やワイヤー状の長尺物で形成されているタスキ本体の全部又は一部に、天然石等で成る装飾体が複数取り付けられていることを特徴とする、装飾化された衣装用タスキ。
【請求項２】
ウェディングドレス等の衣装の上に、タスキ掛け自在な衣装用のタスキであって、所定幅を有するリボン状の長尺物で形成されているタスキ本体の全部又は一部に、天然石等で成る装飾体が、縫合され又は付設されていることを特徴とする、装飾化された衣装用タスキ。
【請求項３】
ウェディングドレス等の衣装の上に、タスキ掛け自在な衣装用のタスキであって、ワイヤーにより幹部と複数の枝部が形成されたワイヤー状の長尺物たるタスキ本体における前記枝部に、天然石等で成る装飾体がそれぞれ取り付けられていることを特徴とする、装飾化された衣装用タスキ。
【請求項４】
タスキ本体に取り付けられる装飾体が、天然石又はチェーン又は布又は毛皮又は革又はレザー又はビーズ又はガラス若しくはＬＥＤ等の発光体の単体、又はそれらの２以上の組み合せで成る複合体により、装飾化されて成ることを特徴とする、請求項１〜請求項３のいずれか１項に記載した装飾化された衣装用タスキ。
【請求項５】
タスキ本体に取り付けられる装飾体の装飾が、花柄、葉、リボン、勲章、羽根、文字、数字、十字架、その他の周知又は創作の形状・模様であることを特徴とする、請求項１〜請求項４のいずれか１項に記載した装飾化された衣装用タスキ。
【請求項６】
タスキ本体に取り付けられる装飾体が、コサージュの組み合せで成ることを特徴とする、請求項１〜請求項５のいずれか１項に記載した装飾化された衣装用タスキ。
【請求項７】
タスキ本体の一部が、花柄やリボン等の一体型装飾体として装飾化されていることを特徴とする、請求項１〜請求項６のいずれか１項に記載した装飾化された衣装用タスキ。
【請求項８】
タスキ本体には、その両端に亘る締結用のリボン状長尺物が、別設されていることを特徴とする、請求項１〜請求項７のいずれか１項に記載した装飾化された衣装用タスキ。
【請求項９】
タスキ本体は、リボン状の長尺物とワイヤー状の長尺物との接続、又はリボン状の長尺物同士の接続、又はワイヤー状の長尺物同士の接続で成り、前記各接続は、リング状等の連結具を介した構成とされていることを特徴とする、請求項１〜請求項８のいずれか１項に記載した装飾化された衣装用タスキ。
【請求項１０】
タスキ本体の裏面部に、肩付近を保護する肩保護部材が、装飾化されて取り付けられていることを特徴とする、請求項１〜請求項９のいずれか１項に記載した装飾化された衣装用タスキ。
【考案の詳細な説明】
【技術分野】
【０００１】
本考案は、例えば結婚式におけるお色直しの際に、花嫁が着るウェディングドレスや花婿が着るタキシード等の衣装の上に、タスキ掛けして華やかな雰囲気を演出してドレスアップを図る装飾化された衣装用タスキの技術分野に関する。
【背景技術】
【０００２】
近年、結婚式では、所謂お色直しと称して、中座した後に新郎・新婦が洋装で再入場することが多い。
【０００３】
その場合、新婦はティアラを被ったり簡単な飾り物をドレスに直接付ける等することは行われている。
【０００４】
一方、特開平６−３１６８０１号特許公開公報には、ウェディングドレス本体を、用途に応じて縫い目（切りかえ線）で、パターンの状態に分割、分解して、従来縫製されているはずの部位（ライン線等）を、目立ちにくいファスナー等外見上縫い目のように見える接続物により、各パーツを接続しドレス本体を構成したパーツの組合せで成るウェディングドレスが開示されている。
【特許文献１】特開平６−３１６８０１号特許公開公報
【考案の開示】
【考案が解決しようとする課題】
【０００５】
結婚式でのお色直しの際に、上述した特開平６−３１６８０１号公報に記載された各パーツの組合せで成るウェディングドレスを着用したり、ティアラや簡単な飾り物を着用するだけでは、インパクトが弱く華やかさに欠ける。
【０００６】
したがって、本考案が解決しようとする課題は、ウェディングドレスに代表されるドレスやタキシードといったフォーマルな洋装を着用したまま、華やかさ・艶やかさを簡単に演出できて、雰囲気を変えられ、しかも着脱を楽に行えて便利な装飾化された衣装用タスキを提供することにある。
【課題を解決するための手段】
【０００７】
上記課題を解決するための手段として、請求項１記載の考案の装飾化された衣装用タスキは、ウェディングドレス等の衣装Ａ、Ｂの上に、タスキ掛け自在な衣装用のタスキであって、リボン状の長尺物３やワイヤー状の長尺物５で形成されているタスキ本体６の全部又は一部に、天然石１等で成る装飾体７が複数取り付けられていることを特徴とする。
【０００８】
請求項２記載の考案の装飾化された衣装用タスキは、ウェディングドレス等の衣装Ａ、Ｂの上に、タスキ掛け自在な衣装用のタスキであって、所定幅を有するリボン状の長尺物３で形成されているタスキ本体６の全部又は一部に、天然石１等で成る装飾体７が、縫合され又は付設されていることを特徴とする。
【０００９】
請求項３記載の考案の装飾化された衣装用タスキは、ウェディングドレス等の衣装Ａ、Ｂの上に、タスキ掛け自在な衣装用のタスキであって、ワイヤー４により幹部４０と複数の枝部４１・・・が形成されたワイヤー状の長尺物５たるタスキ本体６における前記枝部４１・・・に、天然石１等で成る装飾体７がそれぞれ取り付けられていることことを特徴とする。
【００１０】
請求項４記載の考案の装飾化された衣装用タスキは、前記タスキ本体６に取り付けられる装飾体７が、天然石１又はチェーン１１又は布１２又は毛皮１３又は革又はレザー又はビーズ１５又はガラス若しくはＬＥＤ等の発光体の単体、又はそれらの２以上の組み合せで成る複合体により、装飾化されて成ることを特徴とする。
【００１１】
請求項５記載の考案の装飾化された衣装用タスキは、前記タスキ本体６に取り付けられる装飾体７の装飾が、花柄、葉、リボン、勲章、羽根、文字、数字、十字架、その他の周知又は創作の形状・模様であることを特徴とする。
【００１２】
請求項６記載の考案の装飾化された衣装用タスキは、前記タスキ本体６に取り付けられる装飾体７が、コサージュ２の組み合せで成ることを特徴とする。
【００１３】
請求項７記載の考案の装飾化された衣装用タスキは、前記タスキ本体６の一部が、花柄やリボン等の一体型装飾体８として装飾化されていることを特徴とする。
【００１４】
請求項８記載の考案の装飾化された衣装用タスキは、前記タスキ本体６には、その両端に亘る締結用のリボン状長尺物３ａが、別設されていることを特徴とする。
【００１５】
請求項９記載の考案の装飾化された衣装用タスキは、前記タスキ本体６が、リボン状の長尺物３とワイヤー状の長尺物５との接続、又はリボン状の長尺物３、３同士の接続、又はワイヤー状の長尺物５、５同士の接続で成り、前記各接続は、リング状等の連結具１０を介した構成とされていることを特徴とする。
【００１６】
請求項１０記載の考案の装飾化された衣装用タスキは、前記タスキ本体６の裏面部に、肩付近を保護する肩保護部材９が、装飾化されて取り付けられていることを特徴とする。
【考案の効果】
【００１７】
請求項１〜１０の本考案の装飾化された衣装用タスキは、ウェディングドレス等の衣装の上に、タスキ掛け自在な衣装用のタスキであって、リボン状の長尺物やワイヤー状の長尺物で形成されているタスキ本体の全部又は一部に、天然石等で成る装飾体が複数取り付けられているので、フォーマルな洋装を着用したまま、所謂お色直しやパーティーの２次会等で、この衣装用タスキをタスキ掛けして華やかさや艶やかさを簡単に演出でき、雰囲気を変えられて、注目度アップの効果を奏する。その上、この装飾化された衣装用タスキの着脱は、誰でも楽に行える利便性にも優れている。
【考案を実施するための最良の形態】
【００１８】
本考案に係る装飾化された衣装用タスキの好適な実施形態を、以下図面にしたがって説明する。当該衣装用タスキは、着用しているウェディングドレスＡやタキシードＢ等の衣装の上に、事後的にタスキ掛けして取り付けて、簡単にドレスアップ効果が得られる装飾化された衣装用タスキである。
【００１９】
本実施形態の装飾化されたタスキは、大別して、図１〜図１４に示したリボン状長尺物のタイプと、図１５〜図２３に示したワイヤー状長尺物のタイプに分類される。但し、後述するように、それら２種類のタイプを複合化したものもある。
【００２０】
まず、図１〜図１４に示したリボン状長尺物のタイプの装飾化された衣装用タスキについて説明する。
【００２１】
図１に示したような当該衣装用タスキの本体をなすタスキ本体６は、布製等により全長約６０ｃｍ〜５００ｃｍ、幅寸約２ｃｍ〜６ｃｍの長いリボン状の長尺物３で形成されている。但し、このリボン状長尺物３の長さ・幅寸は適宜変更して実施される。更に、このリボン状長尺物３は、２本以上の複数本を同時使用する形態でも実施可能である（図６参照）。
【００２２】
当該リボン状長尺物３の色彩は、女性が着用するウェディングドレスＡに使用する場合、白、薄いベージュ、薄いピンク、水色、グレー色が好適である。また、男性が着用するタキシードＢに使用する場合、黒、紺、茶、白、グレー、ワインレッド色が好適である。
【００２３】
前記リボン状長尺物３のタスキ本体６の全部又は一部に、天然石１等で成る装飾体７が複数、直接縫合され又は付設されている。図１は、リボン状長尺物３に複数の天然石１・・・が縫合されている。図２は、リボン状長尺物３にチェーン１１と天然石１が巻き付くように付設されている。
【００２４】
装飾体７としては、天然石１のほか、チェーン１１や、布１２、毛皮１３、或いは、革やレザー、ビーズ、ガラスの単体、又はそれらの２以上の組み合せで成る複合体により構成され、全体として統一感のある装飾が施されている。例えば、図５は、タスキ本体６に毛皮１３が取り付けられ、更にチェーン１１が付設されている。
【００２５】
また、図示を省略したＬＥＤ等の発光体を、電源に接続したリード線に接続させ、装飾体７の一部として使用する形態も好適に実施される。前記天然石１等をより一層際立たせることができる。
【００２６】
各種装飾体７を図面で示すと、図１が天然石１、図２がチェーン１１、図３と図４が布１２、図５が毛皮１３の実施形態をそれぞれ示している。
【００２７】
そして、前記の装飾体７は統一感のある装飾が施されている。その装飾としては、花柄（図４、図６）、葉（図３）、勲章（図８）、リボン、鳥の羽根、文字、数字、十字架、その他の周知又は創作の形状・模様で構成することができる。
【００２８】
また、装飾体７を、コサージュ２の組み合せで構成する形態も好適に実施される。図３は、天然石１と共に布１２で形成された葉のコサージュ２が複数、リボン状長尺物３のタスキ本体６に、直接縫合された形態を示している。
【００２９】
図４は、布１２で形成された比較的大きな花柄のコサージュ２が複数、リボン状長尺物３のタスキ本体６に直接縫合された形態を示している。さらに、図６は、布１２で形成された大きな花柄と、同花柄から延設されたワイヤー１４の先端に接続された天然石１とでなるコサージュ２が複数、リボン状長尺物３のタスキ本体６に、直接縫合された形態を示している。
【００３０】
図７と図８は、男性用のフォーマルな衣装Ｂであるタキシードの上に、上記リボン状長尺物３で成るタスキ本体６をタスキ掛けした形態を示している。とりわけ男性の場合、図８のように、後面サイドに勲章のような装飾体７をタスキ本体６に取り付けてある。図７は、リボン状長尺物３のタスキ本体６に、複数の天然石１・・・が直接取り付けられている。
【００３１】
なお、図９及び図１０に示した如く、前記タスキ本体６の裏面部に、肩付近を保護する肩保護部材９を、装飾化して取り付ける実施形態も採用可能である。
【００３２】
すなわち、縁部を波形状に形成された毛皮等より成る肩保護部材９を、タスキ本体６（衣装用タスキ）を掛ける肩に、予め当該肩保護部材９を載せておき、その肩保護部材９の上に、タスキ本体６を掛ける要領で使用される。これによりゴージャスな雰囲気が付与されると共に、当該衣装用タスキを肩に掛ける負担が和らぐ。図９は幅広の肩保護部材９、図１０は図９の肩保護部材９の約半分のそれを示している。
【００３３】
さらに、上記リボン状長尺物３で成るタスキ本体６において、図１１〜図１４に示したバリエーションもある。つまり、同図図示例は、上記タスキ本体６の一部が、花柄やリボン等の一体型装飾体８として装飾化されている。
【００３４】
図１１は、予めリボン状長尺物３が長めに形成され、衣装Ａを着用している女性の背面において、前記リボン状長尺物３を結び、残余部分は下方へと配置した形態である。
【００３５】
図１２は、リボン状長尺物３が長めに形成され、やはり衣装Ａを着用している女性の背面において、前記リボン状長尺物３を花柄に結んで前記した一体型装飾体８となし、残余部分は下方へと配置した形態である。図１３は、同様に、長めのリボン状長尺物３を大きなリボンに結んで前記した一体型装飾体８となし、残余部分は下方へと配置した形態である。
【００３６】
図１４は、長めのリボン状長尺物３を、衣装Ａを着用している女性の前面においてリボンに結んで一体型装飾体８となして配置し、残余部分は当該前面において下方へと配置した形態である。
【００３７】
次に、図１５〜図２３に示したワイヤー状長尺物のタイプの装飾化された衣装用タスキについて説明する。
【００３８】
この衣装用タスキの本体をなすタスキ本体６は、その基本構造が図１７に示したように、金属製の細いワイヤー４により、幹部４０と、同幹部４０から多数枝分かれした複数の枝部４１・・・が形成されているワイヤー状の長尺物５で形成されている。このイヤー状長尺物５の衣装Ａ（Ｂ）上の前面又は後面における長さは、約６０ｃｍ〜７０ｃｍぐらいである。
【００３９】
一方、個々の天然石１（装飾体７）には、小孔１ａがそれぞれ形成されている。その小孔１ａに前記ワイヤー４の枝部４１が挿通されて、１本の枝部４１に対して１個の天然石１が取り付けられている。
【００４０】
そして、前記幹部４０の外周に金属繊維（フリーメタリコ）５０が巻装され（図１８Ａ）、その金属繊維５０（幹部４０）の回りに、図１８Ｂに示したようなビーズ１５が巻装される。
【００４１】
かくして、当該ワイヤー状長尺物５のタイプの衣装用タスキ（タスキ本体６）は、図１６、図１９に示したようになるが、その両端には、図１５に例示した締結用のリボン状長尺物３ａを別設する実施形態が好適である。
【００４２】
更には、前記ワイヤー状長尺物５の両端に、リング状の連結具１０を形成する形態が好ましい。すなわち、図１９に拡大して示したように、ワイヤー状長尺物５の端部に、天然石１やビーズ１５等でなる装飾体７によってリング状の連結具１０を連接する。
【００４３】
したがって、この連結具１０を利用して、背面用のリボン状長尺物３ａ（３）や更なるワイヤー状長尺物５を、簡単に接続して使用することができる（図１５、図２０Ｂ、図２１Ｂ、図２３）。
【００４４】
なお、同様に、上記したリボン状長尺物３の両端に、当該連結具１０を連接し、背面用のワイヤー状長尺物５や更なるリボン状長尺物３ａ（３）を、接続して使用できるのである（図２〜図６、図１４）。
【００４５】
つまり、本実施形態の装飾化された衣装用タスキによれば、前記タスキ本体６が、リボン状長尺物３とワイヤー状長尺物５との接続、又はリボン状長尺物３、３同士の接続、又はワイヤー状長尺物５、５同士の接続といったバリエーション設定が可能で、その接続に際し前記リング状等の連結具１０が有用なのである。
【００４６】
なお、図２０と図２１は、連結具１０を介して、ワイヤー状長尺物５にリボン状長尺物３が接続されたタイプを示しているが、図２０のタイプは、リボン状長尺物３は長めに形成されており、その残余部分は、腰に巻いた前面部や後面部でリボン状の一体型装飾体８となしている。
【００４７】
図２２と図２３は、男性用のタキシードＢの上に、上記ワイヤー状長尺物５で成るタスキ本体６をタスキ掛けした形態を示している。同図々示例では、サイドに配置される連結具１０に、リボン状の一体型装飾体８が取り付けられている。
【図面の簡単な説明】
【００４８】
【図１】典型的な装飾化された衣装用タスキを示した全体図である。
【００４９】
【図２】Ａ、Ｂは、ウェディングドレスにおけるリボン状長尺物タイプの衣装用タスキの使用例を示した正面図と背面図である。
【００５０】
【図３】Ａ、Ｂは、異なるリボン状長尺物タイプの衣装用タスキの使用例を示した正面図と背面図である。
【００５１】
【図４】Ａ、Ｂは、異なるリボン状長尺物タイプの衣装用タスキの使用例を示した正面図と背面図である。
【００５２】
【図５】Ａ、Ｂは、異なるリボン状長尺物タイプの衣装用タスキの使用例を示した正面図と背面図である。
【００５３】
【図６】Ａ、Ｂは、異なるリボン状長尺物タイプの衣装用タスキの使用例を示した正面図と背面図である。
【００５４】
【図７】タキシードにおけるリボン状長尺物タイプの衣装用タスキの使用例を示した正面図である。
【００５５】
【図８】タキシードにおけるリボン状長尺物タイプの衣装用タスキの使用例を示した背面図である。
【００５６】
【図９】Ａ、Ｂは、肩保護部材の使用例を示した正面図と背面図である。
【００５７】
【図１０】Ａ、Ｂは、異なる肩保護部材の使用例を示した正面図と背面図である。
【００５８】
【図１１】長いリボン状長尺物の使用例を示した背面図である。
【００５９】
【図１２】異なる長いリボン状長尺物の使用例を示した背面図である。
【００６０】
【図１３】異なる長いリボン状長尺物の使用例を示した背面図である。
【００６１】
【図１４】異なる長いリボン状長尺物の使用例を示した正面図である。
【００６２】
【図１５】典型的なワイヤー状長尺物タイプの装飾化された衣装用タスキを示した全体図である。
【００６３】
【図１６】ワイヤー状長尺物タイプの衣装用タスキを示した全体図である。
【００６４】
【図１７】ワイヤー状長尺物タイプの衣装用タスキの基本構造を示した部分図である。
【００６５】
【図１８】Ａ、Ｂは、ワイヤー状長尺物タイプの衣装用タスキの構成部材を示した部分図である。
【００６６】
【図１９】ワイヤー状長尺物タイプの衣装用タスキの端部構造を示した部分図である。
【００６７】
【図２０】Ａ、Ｂは、ワイヤー状長尺物タイプの衣装用タスキの使用例を示した正面図と背面図である。
【００６８】
【図２１】Ａ、Ｂは、異なるワイヤー状長尺物タイプの衣装用タスキの使用例を示した正面図と背面図である。
【００６９】
【図２２】タキシードにおけるワイヤー状長尺物タイプの衣装用タスキの使用例を示した正面図である。
【００７０】
【図２３】タキシードにおけるワイヤー状長尺物タイプの衣装用タスキの使用例を示した背面図である。
【符号の説明】
【００７１】
Ａ、Ｂ    衣装
１        天然石
２        コサージュ
３        リボン状長尺物
４        ワイヤー
４０      幹部
４１      枝部
５        ワイヤー状長尺物
５０      金属繊維
６        タスキ本体
７        装飾体
８        一体型装飾体
９        肩保護部材
１０      連結具
１１      チェーン
１２      布
１３      毛皮
１４      ワイヤー
１５      ビーズ
【図１】
0003135375.tif 000003
【図２】
0003135375.tif 000004
【図３】
0003135375.tif 000005
【図４】
0003135375.tif 000006
【図５】
0003135375.tif 000007
【図６】
0003135375.tif 000008
【図７】
0003135375.tif 000009
【図８】
0003135375.tif 000010
【図９】
0003135375.tif 000011
【図１０】
0003135375.tif 000012
【図１１】
0003135375.tif 000013
【図１２】
0003135375.tif 000014
【図１３】
0003135375.tif 000015
【図１４】
0003135375.tif 000016
【図１５】
0003135375.tif 000017
【図１６】
0003135375.tif 000018
【図１７】
0003135375.tif 000019
【図１８】
0003135375.tif 000020
【図１９】
0003135375.tif 000021
【図２０】
0003135375.tif 000022
【図２１】
0003135375.tif 000023
【図２２】
0003135375.tif 000024
【図２３】
0003135375.tif 000025